(57)【要約】【課題】音声通話を行なっている状態から映像セッションを新たに追加するときに、モニタに表示されているコンテンツを相手からの映像に切替えることが可能なコンテンツ提供システムを提供すること。【解決手段】ホームサーバ１は、無線ＶｏＩＰ端末３がＩＰ電話として使用されている時に、無線ＶｏＩＰ端末３からコマンドを受信してＳＴＢ（Ａ）２−１またはＳＴＢ（Ｂ）２−２に送信する。ＳＴＢ（Ａ）２−１がコマンドを受信した場合、コマンドが映像セッションの開始要求を示していれば、モニタ６−１に表示されているコンテンツをホームサーバ１から受信した映像パケットに含まれる映像に切替える。したがって、音声通話を行なっている状態から映像セッションを新たに追加することが可能となる。【選択図】図１
2007281600.tif 000002
【特許請求の範囲】
【請求項１】
ホームサーバとセットトップボックスとを有するコンテンツ提供システムであって、
前記ホームサーバは、無線電話端末がインターネットプロトコル電話として使用されている時に、前記無線電話端末から受信したコマンドを検出するコマンド検出手段と、
上位ネットワークから映像パケットを受信する第１の受信手段と、
前記コマンド検出手段によって検出されたコマンドおよび前記第１の受信手段によって受信された映像パケットを前記セットトップボックスに送信する第１の送信手段とを含み、
前記セットトップボックスは、前記ホームサーバからコマンドおよび映像パケットを受信する第２の受信手段と、
前記第２の受信手段によって受信されたコマンドが第１の所定コマンドであれば、モニタに表示されているコンテンツを前記第２の受信手段によって受信された映像パケットに含まれる映像に切替える切替手段とを含む、コンテンツ提供システム。
【請求項２】
前記コンテンツ提供システムは、複数のセットトップボックスを含み、
前記第１の送信手段は、前記コマンド検出手段によって検出されたコマンドに応じて、前記複数のセットトップボックスのいずれかに前記コマンド検出手段によって検出されたコマンドおよび前記第１の受信手段によって受信された映像パケットを送信する、請求項１記載のコンテンツ提供システム。
【請求項３】
前記ホームサーバはさらに、前記コマンド検出手段によって検出されたコマンドが第２の所定コマンドであれば、前記上位ネットワークを介して発信者に映像セッションの開始要求を拒否するパケットを送信する第２の送信手段を含む、請求項１記載のコンテンツ提供システム。
【請求項４】
前記ホームサーバはさらに、前記コマンド検出手段によって検出されたコマンドが第３の所定コマンドであれば、前記上位ネットワークを介して発信者に映像セッションの切断を要求するパケットを送信する第２の送信手段を含む、請求項１記載のコンテンツ提供システム。
【請求項５】
ホームサーバとセットトップボックスとを有するコンテンツ提供システムにおけるコンテンツ切替方法であって、
無線電話端末がインターネットプロトコル電話として使用されている時に、前記無線電話端末から受信したコマンドを検出するステップと、
上位ネットワークから映像パケットを受信するステップと、
前記検出されたコマンドが所定コマンドの場合に、モニタに表示されているコンテンツを前記受信された映像パケットに含まれる映像に切替えるステップとを含む、コンテンツ切替方法。
【発明の詳細な説明】
【技術分野】
【０００１】
ホームサーバとセットトップボックス（以下、ＳＴＢと呼ぶ。）とを含んだコンテンツ提供システムおよびコンテンツ切替方法に関し、特に、ＩＰ（Internet Protocol）電話を用いた通話中に、ＳＴＢをテレビ電話（以下、ＴＶ電話と呼ぶ。）として動作させる場合に、表示しているコンテンツを相手からの映像に切替えるコンテンツ提供システムおよびコンテンツ切替方法に関する。
【背景技術】
【０００２】
近年、インターネット網を介して音声情報を送受信するＩＰ電話が普及してきており、ＩＰ電話を利用したテレビ電話システムの開発も進んでいる。このようなＴＶ電話システムにおいては、ＴＶ受像機などのモニタに相手の顔などの映像を表示しながら通話を行なうのが一般的である。これに関連する技術として、特許文献１に開示された発明がある。
【０００３】
特許文献１に開示されたテレビ電話機能を内蔵したセットトップボックス装置においては、テレビ電話信号をその他の信号と識別、抽出する信号識別部を組込み、テレビ、ビデオカメラを制御してテレビ電話を行なうプログラムを内蔵する。そして、情報処理部がビデオカメラからの映像および音声情報を、ビデオカメラ入力部を経由して受取り、テレビ電話信号に変換して外部回線接続部から相手側テレビ電話に出力するものである。
【特許文献１】特開２００３−３７８２５号公報
【発明の開示】
【発明が解決しようとする課題】
【０００４】
上述した従来のＴＶ電話システムにおいては、セッション開始時点で最初からＴＶ電話通信を行なうことを前提としているため、音声端末で音声通話をしている状態から映像セッションを新たに追加することはできないといった問題点があった。
【０００５】
また、このような問題点は上述した特許文献１に開示された発明を用いたとしても解決することはできない。
【０００６】
本発明は、上記問題点を解決するためになされたものであり、第１の目的は、音声通話を行なっている状態から映像セッションを新たに追加するときに、モニタに表示されているコンテンツを相手からの映像に切替えることが可能なコンテンツ提供システムおよびコンテンツ切替方法を提供することである。
【０００７】
第２の目的は、セットトップボックスが設置されている任意の場所で、ＴＶ電話を利用することが可能なコンテンツ提供システムを提供することである。
【課題を解決するための手段】
【０００８】
本発明のある局面に従えば、ホームサーバとセットトップボックスとを有するコンテンツ提供システムであって、ホームサーバは、無線電話端末がインターネットプロトコル電話として使用されている時に、無線電話端末から受信したコマンドを検出するコマンド検出手段と、上位ネットワークから映像パケットを受信する第１の受信手段と、コマンド検出手段によって検出されたコマンドおよび第１の受信手段によって受信された映像パケットをセットトップボックスに送信する第１の送信手段とを含み、セットトップボックスは、ホームサーバからコマンドおよび映像パケットを受信する第２の受信手段と、第２の受信手段によって受信されたコマンドが第１の所定コマンドであれば、モニタに表示されているコンテンツを第２の受信手段によって受信された映像パケットに含まれる映像に切替える切替手段とを含む。
【０００９】
好ましくは、コンテンツ提供システムは、複数のセットトップボックスを含み、第１の送信手段は、コマンド検出手段によって検出されたコマンドに応じて、複数のセットトップボックスのいずれかにコマンド検出手段によって検出されたコマンドおよび第１の受信手段によって受信された映像パケットを送信する。
【００１０】
好ましくは、ホームサーバはさらに、コマンド検出手段によって検出されたコマンドが第２の所定コマンドであれば、上位ネットワークを介して発信者に映像セッションの開始要求を拒否するパケットを送信する第２の送信手段を含む。
【００１１】
好ましくは、ホームサーバはさらに、コマンド検出手段によって検出されたコマンドが第３の所定コマンドであれば、上位ネットワークを介して発信者に映像セッションの切断を要求するパケットを送信する第２の送信手段を含む。
【００１２】
本発明の別の局面に従えば、ホームサーバとセットトップボックスとを有するコンテンツ提供システムにおけるコンテンツ切替方法であって、無線電話端末がインターネットプロトコル電話として使用されている時に、無線電話端末から受信したコマンドを検出するステップと、上位ネットワークから映像パケットを受信するステップと、検出されたコマンドが所定コマンドの場合に、モニタに表示されているコンテンツを受信された映像パケットに含まれる映像に切替えるステップとを含む。
【発明の効果】
【００１３】
本発明のある局面によれば、第２の受信手段によって受信されたコマンドが第１の所定コマンドであれば、切替手段が、モニタに表示されているコンテンツを第２の受信手段によって受信された映像パケットに含まれる映像に切替えるので、音声通話を行なっている状態から映像セッションを新たに追加することが可能となる。
【００１４】
また、第１の送信手段が、コマンド検出手段によって検出されたコマンドに応じて、複数のセットトップボックスのいずれかにコマンド検出手段によって検出されたコマンドおよび第１の受信手段によって受信された映像パケットを送信するので、利用者はセットトップボックスが設置されている任意の場所で、ＴＶ電話を利用することが可能となる。
【００１５】
また、コマンド検出手段によって検出されたコマンドが第２の所定コマンドであれば、第２の送信手段が、上位ネットワークを介して発信者に映像セッションの開始要求を拒否するパケットを送信するので、利用者の映像が漏洩することを防止することが可能となる。
【００１６】
また、コマンド検出手段によって検出されたコマンドが第３の所定コマンドであれば、第２の送信手段が、上位ネットワークを介して発信者に映像セッションの切断を要求するパケットを送信するので、音声のみによる通話を続けることが可能となる。
【００１７】
本発明の別の局面によれば、検出されたコマンドが所定コマンドの場合に、モニタに表示されているコンテンツを受信された映像パケットに含まれる映像に切替えるので、音声通話を行なっている状態から映像セッションを新たに追加することが可能となる。
【発明を実施するための最良の形態】
【００１８】
（第１の実施の形態）
図１は、本発明の第１の実施の形態におけるコンテンツ提供システムの構成例を示すブロック図である。このコンテンツ提供システムは、ＩＰ網７に接続されるホームサーバ１と、ホームサーバ１と有線で接続される複数のＳＴＢ２−１〜２−２と、ホームサーバ１と無線で接続される無線ＶｏＩＰ（Voice over Internet Protocol）端末３と、ＳＴＢ２−１〜２−２のそれぞれと有線で接続される電話機５−１〜５−２と、ＳＴＢ２−１〜２−２のそれぞれと接続されるＴＶ受像機などのモニタ６−１〜６−２とを含む。
【００１９】
ホームサーバ１は、ＩＰ網７を介して受信した音声パケット、映像パケット、コンテンツパケットなどのＳＴＢ宛てのパケットをＳＴＢ２−１〜２−２に送信すると共に、無線ＶｏＩＰ端末３宛ての音声パケットを無線ＶｏＩＰ端末３に送信する。
【００２０】
また、ホームサーバ１は、ＳＴＢ２−１〜２−２から受信した音声パケットおよび映像パケットをＩＰ網７を介して相手のＴＶ電話に送信すると共に、無線ＶｏＩＰ端末３から受信した音声パケットをＩＰ網７を介して相手の電話に送信する。
【００２１】
また、ホームサーバ１は、利用者が無線ＶｏＩＰ端末３を用いた音声通話中に、利用者が入力した特番を受けて映像セッションの追加などを行なう。ここで、特番とは、ユーザによって押下された無線ＶｏＩＰ端末３の“＊”キーおよびそれに続くテンキーを指しており、ホームサーバ１は後述のように無線ＶｏＩＰ端末３から受けた特番に応じた処理を実行する。
【００２２】
ＳＴＢ（Ａ）２−１にはカメラ４−１が備えられており、カメラ４−１によって撮影された話者の顔などの映像を格納した映像パケットを生成し、ホームサーバ１に送信する。また、ＳＴＢ（Ａ）２−１には電話機５−１およびモニタ６−１が接続されており、電話機５−１から受けた音声を格納した音声パケットを生成してホームサーバ１に送信すると共に、ホームサーバ１から受けた映像パケットに含まれる映像データをデコードしてモニタ６−１にその映像を表示する。
【００２３】
同様に、ＳＴＢ（Ｂ）２−２にはカメラ４−２が備えられており、カメラ４−２によって撮影された話者の顔などの映像を格納した映像パケットを生成し、ホームサーバ１に送信する。また、ＳＴＢ（Ｂ）２−２には電話機５−２およびモニタ６−２が接続されており、電話機５−２から受けた音声を格納した音声パケットを生成してホームサーバ１に送信すると共に、ホームサーバ１から受けた映像パケットに含まれる映像データをデコードしてモニタ６−２にその映像を表示する。
【００２４】
図２は、本発明の第１の実施の形態におけるホームサーバ１およびＳＴＢ（Ａ）２−１の概略構成を示すブロック図である。図２においては、ホームサーバ１およびＳＴＢ（Ａ）２−１のみが記載されているが、ホームサーバ１に複数のＳＴＢが接続されているものとする。また、他のＳＴＢの内部構成は、図２に示すＳＴＢ（Ａ）２−１の内部構成と同様である。
【００２５】
ホームサーバ１は、ＩＰ網７（ＷＡＮ（Wide Area Network）側）を介してパケットを受信するイーサネット（登録商標）受信部１１と、ＩＰ網７を介してパケットを送信するイーサネット（登録商標）送信部１２と、ＳＴＢ（Ａ）２−１にパケットを送信するイーサネット（登録商標）送信部（Ａ）１３と、ＳＴＢ（Ａ）２−１からのパケットを受信するイーサネット（登録商標）受信部（Ａ）１４と、イーサネット（登録商標）受信部１１によって受信された音声パケットを無線ＶｏＩＰ端末３に送信する無線送信部１５と、無線ＶｏＩＰ端末３から音声パケットや特番を受信する無線受信部１６と、無線受信部１６によって受信された情報の中から特番（コマンド）を検出し、その情報を指定のＳＴＢに送出するコマンド検出・送出部１７とを含む。
【００２６】
なお、ＳＴＢと接続されるイーサネット（登録商標）送信部およびイーサネット（登録商標）受信部は、接続されるＳＴＢの数だけ設けられているものとして説明する。
【００２７】
イーサネット（登録商標）受信部１１は、ＷＡＮ側から受信した音声パケット、映像パケット、コンテンツパケットなどのＳＴＢ（Ａ）２−１宛てのパケットをイーサネット（登録商標）送信部（Ａ）１３に出力すると共に、ＷＡＮ側から受信した無線ＶｏＩＰ端末３宛ての音声パケットを無線送信部１５に出力する。
【００２８】
無線送信部１５は、イーサネット（登録商標）受信部１１から音声パケットを受けると、無線で音声パケットを無線ＶｏＩＰ端末３に送信する。
【００２９】
無線受信部１６は、無線ＶｏＩＰ端末３から音声パケットおよび特番に関する情報（コマンド）を受信してコマンド検出・送出部１７に出力する。
【００３０】
コマンド検出・送出部１７は、無線受信部１７から音声パケットを受けると、その音声パケットをイーサネット（登録商標）送信部１２に出力する。また、コマンド検出・送出部１７は、無線受信部１７からコマンドを受けると、そのコマンドをイーサネット（登録商標）送信部（Ａ）１３に出力する。
【００３１】
イーサネット（登録商標）送信部（Ａ）１３は、イーサネット（登録商標）受信部１１から受けたパケットおよびコマンド検出・送出部１７から受けたコマンドをＳＴＢ（Ａ）２−１に送信する。
【００３２】
イーサネット（登録商標）受信部（Ａ）１４は、ＳＴＢ（Ａ）２−１から音声パケット、映像パケットなどのパケットを受信してイーサネット（登録商標）送信部１２に出力する。
【００３３】
イーサネット（登録商標）送信部１２は、イーサネット（登録商標）受信部（Ａ）１４から受けたパケットおよびコマンド検出・送出部１７から受けた音声パケットをＷＡＮ側に送信する。
【００３４】
また、ＳＴＢ（Ａ）２−１は、ホームサーバ１から音声パケット、映像パケット、コンテンツパケット、コマンドパケットなどを受信して振り分けるイーサネット（登録商標）受信部２１と、ホームサーバ１に音声パケット、映像パケットなどを送信するイーサネット（登録商標）送信部２２と、イーサネット（登録商標）受信部２１から受けた音声パケットに含まれる音声データをデコードして電話機５−１に出力する音声パケットデコード部２３と、イーサネット（登録商標）受信部２１から受けた映像パケットに含まれる映像データをデコードしてモニタ６−１に出力する映像パケットデコード部２４と、電話機５−１から受けた音声信号をエンコードして音声パケットを生成する音声パケットエンコード部２５、カメラ４−１から受けた映像信号をエンコードして映像パケットを生成する映像パケットエンコード部２６と、イーサネット（登録商標）受信部２１から受けたコマンドに応じて処理を実行するコマンド処理部２７とを含む。
【００３５】
イーサネット（登録商標）受信部２１は、ホームサーバ１から受信したパケットが音声パケットであれば、その音声パケットを音声パケットデコード部２３に出力する。また、ホームサーバ１から受けたパケットが映像パケットまたはコンテンツパケットであれば、そのパケットを映像パケットデコード部２４に出力する。ここで、映像パケットとはＴＶ電話のための映像データを含んだパケットを指し、コンテンツパケットとは文字情報、静止画、映画等の動画などを含んだパケットを指すものとする。したがって、コンテンツパケットに含まれる情報は、ＴＶ電話に用いられる音声データおよび映像データ以外の情報である。
【００３６】
また、イーサネット（登録商標）受信部２１は、ホームサーバ１からコマンドを受信すると、そのコマンドをコマンド処理部２７に出力する。
【００３７】
音声パケットデコード部２３は、イーサネット（登録商標）受信部２１から受けた音声パケットに含まれる音声データをデコードし、音声信号として電話機５−１に出力する。
【００３８】
映像パケットデコード部２４は、イーサネット（登録商標）受信部２１から受けた映像パケットに含まれる映像データをデコードし、その映像信号をモニタ６−１に出力する。また、映像パケットデコード部２４は、イーサネット（登録商標）受信部２１から受けたコンテンツパケットに含まれるコンテンツをデコードし、その映像信号をモニタ６−１に出力する。
【００３９】
コマンド処理部２７は、イーサネット（登録商標）受信部２１から受けたコマンドが映像セッションの開始コマンドであれば、後述のように相手のＴＶ電話に対して映像セッション要求の呼制御信号をイーサネット（登録商標）送信部２２を介して送出する。また、イーサネット（登録商標）受信部２１から受けたコマンドが映像セッションの切断コマンドであれば、映像セッションに対する切断信号をイーサネット（登録商標）送信部２２を介して送出する。
【００４０】
音声パケットエンコード部２５は、電話機５−１から受けた音声信号をエンコードして音声パケットを生成し、その音声パケットをイーサネット（登録商標）送信部２２に出力する。
【００４１】
映像パケットエンコード部２６は、カメラ４−１から受けた映像信号をエンコードして映像パケットを生成し、その映像パケットをイーサネット（登録商標）送信部２２に出力する。
【００４２】
イーサネット（登録商標）送信部２２は、音声パケットエンコード部２５から受けた音声パケット、映像パケットエンコード部２６から受けた映像パケット、およびコマンド処理部２７から受けた映像セッション要求の呼制御信号、映像セッション切断信号などの信号をホームサーバ１に送信する。
【００４３】
図３は、無線ＶｏＩＰ端末３から送信される特番に対応する処理の一例を示す図である。特番は、映像セッション被要求側の無線ＶｏＩＰ端末３が後述する映像着信通知音を出力中に、利用者が無線ＶｏＩＰ端末３の特殊キー“＊”を押下した後、テンキーを押下することによってホームサーバ１に送信される。
【００４４】
特番“＊１”は、映像セッションを開始するＳＴＢとしてＳＴＢ（Ａ）２−１を選択することを示しており、ＳＴＢ（Ａ）２−１に接続されるモニタ６−１に映像が表示される。また、ＳＴＢ（Ａ）２−１に接続されるカメラ４−１によって撮影された映像が相手のＴＶ電話に送信される。
【００４５】
特番“＊２”は、映像セッションを開始するＳＴＢとしてＳＴＢ（Ｂ）２−２を選択することを示しており、ＳＴＢ（Ｂ）２−２に接続されるモニタ６−２に映像が表示される。また、ＳＴＢ（Ｂ）２−２に接続されるカメラ４−２によって撮影された映像が相手のＴＶ電話に送信される。
【００４６】
特番“＊３”は、映像セッションを開始するＳＴＢとして図示しないＳＴＢ（Ｃ）を選択することを示しており、ＳＴＢ（Ｃ）に接続されるモニタに映像が表示される。また、ＳＴＢ（Ｃ）に接続されるカメラによって撮影された映像が相手のＴＶ電話に送信される。
【００４７】
特番“＊０”は、映像セッション被要求側では相手からの映像セッション要求に対して拒否することを示している。また、映像セッション要求側では映像セッションのみを切断することを示している。なお、無線ＶｏＩＰ端末３の切断ボタンが押下された場合には、音声セッションおよび映像セッションの両方が切断される。
【００４８】
図４は、本発明の第１の実施の形態におけるホームサーバ１の処理手順を説明するためのフローチャートである。まず、無線受信部１６が無線ＶｏＩＰ端末３からパケットを受信すると（Ｓ１１）、コマンド検出・送出部１７はそのパケットに特殊キーが含まれるか否かを判定する（Ｓ１２）。
【００４９】
パケットに特殊キーが含まれていれば（Ｓ１２，Ｙｅｓ）、無線受信部１６が特殊キーに続くコマンドを受信する（Ｓ１３）。そして、コマンド検出・送出部１７は、映像セッションの着信中であるか否かを判定する（Ｓ１４）。
【００５０】
映像セッションの着信中、すなわち相手のＴＶ電話から映像セッション要求があった場合であり（Ｓ１４，Ｙｅｓ）、コマンドが“１”であれば、コマンド検出・送出部１７は、ＳＴＢ（Ａ）２−１に接続するイーサネット（登録商標）送信部（Ａ）１３に映像セッション開始要求を送信させる（Ｓ１５）。
【００５１】
映像セッションの着信中であり（Ｓ１４，Ｙｅｓ）、コマンドが“２”であれば、コマンド検出・送出部１７は、ＳＴＢ（Ｂ）２−２に接続する図示しないイーサネット（登録商標）送信部（Ｂ）に映像セッション開始要求を送信させる（Ｓ１６）。
【００５２】
映像セッションの着信中であり（Ｓ１４，Ｙｅｓ）、コマンドが“３”であれば、コマンド検出・送出部１７は、ＳＴＢ（Ｃ）に接続する図示しないイーサネット（登録商標）送信部（Ｃ）に映像セッション開始要求を送信させる（Ｓ１７）。
【００５３】
映像セッションの着信中であり（Ｓ１４，Ｙｅｓ）、コマンドが“０”であれば、コマンド検出・送出部１７は、イーサネット（登録商標）送信部１２を介して相手のＴＶ電話に映像セッション要求を拒否するパケットを送信させる（Ｓ１８）。この場合、無線ＶｏＩＰ端末３による音声通話のみが行なわれる。
【００５４】
また、映像セッションの着信中でない場合、すなわち無線ＶｏＩＰ端末３の利用者が映像セッションを開始しようとしている場合であり（Ｓ１４，Ｎｏ）、コマンドが“１”であれば、コマンド検出・送出部１７は、ＳＴＢ（Ａ）２−１に接続するイーサネット（登録商標）送信部（Ａ）１３に映像セッション開始要求命令を送信させる（Ｓ１９）。この映像セッション開始要求命令とは、映像セッション開始要求を相手のＴＶ電話に送信するようＳＴＢに指示する命令である。
【００５５】
映像セッションの着信中でない場合であり（Ｓ１４，Ｎｏ）、コマンドが“２”であれば、コマンド検出・送出部１７は、ＳＴＢ（Ｂ）２−２に接続する図示しないイーサネット（登録商標）送信部（Ｂ）に映像セッション開始要求命令を送信させる（Ｓ２０）。
【００５６】
映像セッションの着信中でない場合であり（Ｓ１４，Ｎｏ）、コマンドが“３”であれば、コマンド検出・送出部１７は、ＳＴＢ（Ｃ）に接続する図示しないイーサネット（登録商標）送信部（Ｃ）に映像セッション開始要求命令を送信させる（Ｓ２１）。
【００５７】
映像セッションの着信中でない場合であり（Ｓ１４，Ｎｏ）、コマンドが“０”であれば、コマンド検出・送出部１７は、映像通信中のＳＴＢに接続するイーサネット（登録商標）送信部に映像セッション切断要求命令を送信させる（Ｓ２２）。この映像セッション切断要求命令とは、映像セッション切断要求を相手のＴＶ電話に送信するようＳＴＢに指示する命令である。
【００５８】
また、ステップＳ１２において、パケットに特殊キーが含まれていなければ（Ｓ１２，Ｎｏ）、そのパケットが音声パケットであるか否かを判定する（Ｓ２３）。そのパケットが音声パケットであれば（Ｓ２３，Ｙｅｓ）、イーサネット（登録商標）送信部１２を介してＷＡＮ側に音声パケットを中継し（Ｓ２５）、ステップＳ１１に戻って以降の処理を繰返す。
【００５９】
また、そのパケットが音声パケットでなければ（Ｓ２３，Ｎｏ）、音声セッション開始要求パケットであるか否かを判定する（Ｓ２４）。音声セッション開始要求パケットでなければ（Ｓ２４，Ｎｏ）、不要なパケットであるとしてそのパケットを廃棄する（Ｓ２６）。
【００６０】
また、音声セッション開始要求パケットであれば（Ｓ２４，Ｙｅｓ）、イーサネット（登録商標）送信部１２を介してＷＡＮ側に音声セッション開始要求パケットを中継し（Ｓ２５）、ステップＳ１１に戻って以降の処理を繰返す。
【００６１】
図５は、本発明の第１の実施の形態におけるＳＴＢ（Ａ）２−１の処理手順を説明するためのフローチャートである。まず、イーサネット（登録商標）受信部２１がホームサーバ１からパケットを受信すると（Ｓ３１）、そのパケットの種類を判定する（Ｓ３１）。
【００６２】
受信したパケットが音声パケットであれば、イーサネット（登録商標）受信部２１は、その音声パケットを音声パケットデコード部２３へ出力する（Ｓ３２）。音声パケットデコード部２３は、音声パケットに含まれる音声データをデコードし、音声信号として電話機５−１に出力する。
【００６３】
受信したパケットが映像パケットであれば、イーサネット（登録商標）受信部２１は、モニタ６−１の画面状態を判定する（Ｓ３３）。画面状態が映像通信表示であれば（Ｓ３３，映像通信表示）、その映像パケットを映像パケットデコード部２４へ出力する（Ｓ３４）。映像パケットデコード部２４は、映像パケットに含まれる映像データをデコードし、その映像信号をモニタ６−１に出力する。また、画面状態がコンテンツ映像表示であれば（Ｓ３３，コンテンツ映像表示）、その映像パケットを廃棄する（Ｓ３５）。
【００６４】
なお、イーサネット（登録商標）受信部２１は、映像セッションを監視しており、映像セッションが確立している状態では画面状態が映像通信表示であると判断し、映像セッションが確立していない状態では画面状態がコンテンツ映像表示であると判断する。
【００６５】
受信したパケットがコンテンツパケットであれば、イーサネット（登録商標）受信部２１は、モニタ６−１の画面状態を判定する（Ｓ３６）。画面状態がコンテンツ映像表示であれば（Ｓ３６，コンテンツ映像表示）、そのコンテンツパケットを映像パケットデコード部２４へ出力する（Ｓ３７）。映像パケットデコード部２４は、コンテンツパケットに含まれるコンテンツデータをデコードし、その映像信号をモニタ６−１に出力する。また、画面状態が映像通信表示であれば（Ｓ３６，映像通信表示）、そのコンテンツパケットを廃棄する（Ｓ３８）。
【００６６】
受信したパケットがコマンドパケットであれば、コマンド処理部２７は、そのコマンドが映像セッションの開始であるか、停止であるかを判定する（Ｓ３９）。映像セッション開始コマンドであれば（Ｓ３９，開始）、コマンド処理部２７は、映像セッション開始要求パケットを作成してイーサネット（登録商標）送信部２２に送信させる（Ｓ４０）。
【００６７】
また、コマンドが映像セッション停止要求コマンドであれば（Ｓ３９，停止）、コマンド処理部２７は、映像セッション停止要求パケットを作成してイーサネット（登録商標）送信部２２に送信させる（Ｓ４１）。
【００６８】
受信したパケットが映像セッション要求パケットであれば、コマンド処理部２７は、映像パケットデコード部２４に対してモニタ６−１に「ＴＶ電話着信中」と表示させる。そして、モニタ６−１の画面切替えがあったか否かを判定する（Ｓ４３）。
【００６９】
モニタ６−１の画面が切替わっていなければ（Ｓ４３，Ｎｏ）、所定時間だけ待機する（Ｓ４４）。所定時間待機した後、モニタ６−１の画面が切替われば（Ｓ４３，Ｙｅｓ）、コマンド処理部２７は、映像セッション開始要求に対する応答パケットを作成してイーサネット（登録商標）送信部２２に送信させる。そして、カメラ４−１、映像パケットエンコード部２６などの機能を動作させ、映像パケットの送信を開始する。
【００７０】
図６は、本発明の第１の実施の形態におけるコンテンツ提供システムの映像セッション要求受信時の各機器の処理手順を説明するための図である。まず、発信者が音声通話中に、ＶｏＩＰ端末などから映像セッションの開始要求を入力すると、ホームサーバ１にＩＮＶＩＴＥリクエストが送信される（Ｔ１１）。
【００７１】
ホームサーバ１がＩＮＶＩＴＥリクエストを受信すると、発信者に対して１８０  Ｒｉｎｇｉｎｇレスポンスを送信して呼出し中であることを通知する（Ｔ１２）。そして、図６の（１）に示すタイミングで、ホームサーバ１は無線ＶｏＩＰ端末３に対して映像セッションの開始要求があったことを示す通知音を送出すると共に、無線ＶｏＩＰ端末３からの特番入力によるＳＴＢ選択を示すコマンドを受信する。
【００７２】
ホームサーバ１は、無線ＶｏＩＰ端末３からのコマンドに応じてＳＴＢを選択し、そのＳＴＢに対してＩＮＶＩＴＥリクエストを送信する（Ｔ１３）。ここでは、ＳＴＢ２−１が選択されたものとして説明する。ＳＴＢ２−１は、ホームサーバ１に対して１８０  Ｒｉｎｇｉｎｇレスポンスを送信し（Ｔ１４）、２００  ＯＫレスポンスを送信する（Ｔ１５）。
【００７３】
ホームサーバ１は、ＳＴＢ２−１から２００  ＯＫレスポンスを受信すると、発信者に対して２００  ＯＫレスポンスを送信する（Ｔ１６）。そして、ホームサーバ１は、発信者からＡＣＫリクエストを受信すると（Ｔ１７）、ＳＴＢ２−１に対してＡＣＫリクエストを送信する（Ｔ１８）。これによって、映像セッションが確立される。
【００７４】
以上説明したように、本実施の形態におけるコンテンツ提供システムによれば、無線ＶｏＩＰ端末３を用いた音声による通話中に、利用者が無線ＶｏＩＰ端末３から特番を入力することによって映像セッションの確立が行なわれるようになるので、無線ＶｏＩＰ端末３で音声通話を行なっている状態から映像セッションを新たに追加することが可能となった。
【００７５】
また、利用者が無線ＶｏＩＰ端末３から特番を入力することによって、任意のＳＴＢを選択することができるので、利用者はどこからでもＴＶ電話を利用することが可能となった。
【００７６】
また、ＳＴＢはモニタにコンテンツを表示しているときに、相手のＴＶ電話から映像セッションの開始要求があれば、モニタに「ＴＶ電話着信中」と表示した後にＴＶ電話の画面に切替えるようにしたので、利用者の利便性を向上させることが可能となった。
【００７７】
また、利用者が無線ＶｏＩＰ端末３から特番を入力することによって、映像セッションのみを切断することができ、利用者の利便性をさらに向上させることが可能となった。
【００７８】
（第２の実施の形態）
図７は、本発明の第２の実施の形態におけるコンテンツ提供システムの構成例を示すブロック図である。このコンテンツ提供システムは、図１に示す第１の実施の形態におけるコンテンツ提供システムと比較して、ホームサーバ１の機能とＳＴＢ（Ａ）２−１の機能とが１つの装置１００に組込まれたものである。したがって、重複する構成および機能の詳細な説明は繰返さない。
【００７９】
ホームサーバ兼ＳＴＢ（Ａ）１００にはカメラ４−１が備えられ、電話機５−１およびモニタ６−１が接続される。また、ホームサーバ兼ＳＴＢ（Ａ）１００には、有線でＳＴＢ（Ｂ）２−２およびＳＴＢ（Ｃ）２−３が接続される。
【００８０】
以上説明したように、本実施の形態におけるコンテンツ提供システムによれば、ホームサーバ兼ＳＴＢ（Ａ）１００がホームサーバ１の機能とＳＴＢ（Ａ）２−１の機能とを有しているので、ホームサーバ１とＳＴＢ（Ａ）２−１との間の有線による接続などをなくすことができ、システムの構成を簡略化することができると共に、システム全体のコストを削減することが可能となった。
【００８１】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８２】
【図１】本発明の第１の実施の形態におけるコンテンツ提供システムの構成例を示すブロック図である。
【図２】本発明の第１の実施の形態におけるホームサーバ１およびＳＴＢ（Ａ）２−１の概略構成を示すブロック図である。
【図３】無線ＶｏＩＰ端末３から送信される特番に対応する処理の一例を示す図である。
【図４】本発明の第１の実施の形態におけるホームサーバ１の処理手順を説明するためのフローチャートである。
【図５】本発明の第１の実施の形態におけるＳＴＢ（Ａ）２−１の処理手順を説明するためのフローチャートである。
【図６】本発明の第１の実施の形態におけるコンテンツ提供システムの映像セッション要求受信時の各機器の処理手順を説明するための図である。
【図７】本発明の第２の実施の形態におけるコンテンツ提供システムの構成例を示すブロック図である。
【符号の説明】
【００８３】
１  ホームサーバ、２−１〜２−３  ＳＴＢ、３  無線ＶｏＩＰ端末、４−１〜４−３  カメラ、５−１〜５−３  電話機、６−１〜６−３  モニタ、７  ＩＰ網、１１，２１  イーサネット（登録商標）受信部、１２，２２  イーサネット（登録商標）送信部、１３  イーサネット（登録商標）送信部（Ａ）、１４  イーサネット（登録商標）受信部（Ａ）、１５  無線送信部、１６  無線受信部、１７  コマンド検出・送出部、２３  音声パケットデコード部、２４  映像パケットデコード部、２５  音声パケットエンコード部、２６  映像パケットエンコード部、２７  コマンド処理部、１００  ホームサーバ兼ＳＴＢ（Ａ）。
【図１】
2007281600.tif 000003
【図２】
2007281600.tif 000004
【図３】
2007281600.tif 000005
【図４】
2007281600.tif 000006
【図５】
2007281600.tif 000007
【図６】
2007281600.tif 000008
【図７】
2007281600.tif 000009